(57)【特許請求の範囲】
【請求項１】
吸入管と着脱自在に結合され、ほこりを吸入するように一側に吸入口が形成されている本体と、
一端が上記吸入管に着脱自在に結合される固定手段と、
一端が上記本体に固着され、他端が上記固定手段の他端に水平方向に回転可能に結合されて上記本体と一緒に回転する回転手段と、
上記固定手段と上記回転手段との間に介在されて上記固定手段と上記回転手段との結合を支持する継手手段とを有し、
上記固定手段は一端が上記吸入管に着脱自在に結合される円筒状の枢支部材であり、
上記回転手段は上記本体の後方側中央部に一体に形成され、上記枢支部材がその内部に挿入されて上記枢支部材に対して水平方向に回転する中空円筒形の回転部であり、
上記継手手段は一端が上記枢支部材に係止され、他端が上記本体に係止され、上記枢支部材を中心として上記本体の左右側に相互対称的に備えられる一対の弾性部材からなり、
上記枢支部材の外周面には上記吸入口と上記吸入管とを連通させる連通部が形成され、後側下面にはローラが設けられており、
上記回転部の底面中央部には上記枢支部材の下面に挿入されて上記回転部の水平方向への回転を支持する支持軸が上方に突出形成されており、底面周縁部に沿って上記ローラを収容して上記ローラが底面に当接し続けられるようにするローラ収容溝が形成されていることを特徴とする真空掃除機用ブラシヘッド。
【請求項２】
上記ローラ収容溝は上記回転部の底面後方に１８０°の円周角をもって形成されていることを特徴とする請求項１に記載の真空掃除機用ブラシヘッド。
【請求項３】
上記枢支部材の前側上部には上記各弾性部材の一端が共通に掛止されるように固定ピンが垂直に嵌合され、上記本体には上記各弾性部材の他端が別途に掛止されるようにその両側面に隣接して一対の円柱形の支持突起が相互対称的に上方に突出形成されていることを特徴とする請求項１に記載の真空掃除機用ブラシヘッド。
【請求項４】
上記弾性部材はシリコン樹脂材質の弾性バンドからなることを特徴とする請求項３に記載の真空掃除機用ブラシヘッド。
【請求項５】
上記吸入管と上記枢支部材との間には上記吸入管に一端が着脱自在に結合され、上記枢支部材に他端がヒンジ結合される連結具が備えられ、上記連結具の他端両側面には上記本体が上記吸入管に対して垂直方向に回転し得るように回転軸が突出形成されていることを特徴とする請求項１に記載の真空掃除機用ブラシヘッド。
【請求項６】
上記回転部の上部には上記枢支部材を覆う蓋が結合され、上記蓋の後方には上記連結具を回動可能に収容して上記吸入管に対して上記本体が垂直方向に回転し得るようにする垂直切開部が形成されていることを特徴とする請求項５に記載の真空掃除機用ブラシヘッド。
【請求項７】
吸入管と着脱自在に結合され、ほこりを吸入するように一側に吸入口が形成されている本体と、
一端が上記吸入管に着脱自在に結合される固定手段と、
一端が上記本体に固着され、他端が上記固定手段の他端に水平方向に回転可能に結合されて上記本体と一緒に回転する回転手段と、
上記固定手段と上記回転手段との間に介在されて上記固定手段と上記回転手段との結合を支持する継手手段とを有し、
上記回転手段は上記本体の後側中央部に上下回転可能に結合される回転カプラーであり、
上記固定手段は一端が上記吸入管に着脱自在に結合され、他端が上記回転カプラーに結合される固定カプラーであり、
上記継手手段は上記回転カプラーと上記固定カプラーとの結合を支持し、上記回転カプラーが上記固定カプラーに対して水平方向に回転し得るようにする蝶番ネジであり、
上記回転カプラーは、一端が上記本体内に位置し、該一端には上記本体が上記回転カプラーに対して上下回転し得るように所定の曲率を有する垂直回転部が形成されており、他端が上記本体の後方に位置し、その内部には上記吸入口と連通する円形の第１通孔が形成されており、
上記第１通孔の底面中心部には中空円筒形の雌ホルダーが上方に突出形成されており；
上記固定カプラーは、その内部に上記第１通孔に等しいサイズを有し、上記吸入管と連通するように形成された第２通孔と、
上記第２通孔より低い位置に形成され、上記固定カプラーが上記回転カプラーと結合されるとき上記第１通孔の内部に収容される枢支部と、
上記第１通孔の上記雌ホルダー内に挿入されるように上記枢支部の上面から下方に突出形成され、その内部にネジ孔の形成された雄ホルダーとを含み；
上記蝶番ネジは、上記回転カプラーの底面を貫通した後、上記雌ホルダー内に挿入された上記雄ホルダーのネジ孔に締結されることを特徴とする真空掃除機用ブラシヘッド。
【発明の詳細な説明】
【０００１】
【発明の属する技術分野】
本発明は真空掃除機に関し、より詳しくは吸入管に対して垂直方向ばかりでなく、水平方向へも回転することができる真空掃除機用ブラシヘッドに関する。
【０００２】
【従来の技術】
通常、真空掃除機は真空ポンプの動作による負圧によってほこりや汚れなどを吸入して捕集することにより、床面や隙間に対する掃除が行われるようにした装置であり、本体と連結されたフレキシブルホースの先端に吸入管が着脱自在に連結され、吸入管の先端にブラシヘッドが着脱自在に結合された構造を有する。
【０００３】
このようなブラシヘッドはその内部にローラブラシなどが設置されて床面の異物を吸入して除去するばかりでなく、吸入可能面積を増加させて掃除が効率良く行われるようにする。
【０００４】
かかる真空掃除機用ブラシヘッドは米国特許第４，５３７，４２４号（1985.8.27）に開示しており、図１を参照して説明する。
【０００５】
同図において、従来の真空掃除機用ブラシヘッド１において、ブラシヘッドの本体２の後方には殻（shell）状のジョイントパン（joint pan）３が設けられており、このジョイントパン３の内部には中空円筒形のジョイントヘッド４がジョイントパン３の内面に当接して回転し得るように設置される。すなわち、ジョイントヘッド４の長さ方向の軸が地面と平行に位置付けられる。そして、ジョイントヘッド４の両端面に結合されるディスク５の中心部にはボア６が穿孔されている。
【０００６】
また、吸入管７がその内部に着脱自在に挿入される収容部８の先端部は上記ジョイントヘッド４の側面を貫通してその内部に延び、上記ディスクのボア６に対応する位置にボア（図示せず）が穿孔されている。
【０００７】
ジョイントヘッド４に結合されるディスク５に形成されたボア６と、吸入管７が嵌合される収容部８に形成されたボアに、ピボットシャフト（pivot shaft）（図示せず）を貫通結合させることによりブラシヘッドの本体２は吸入管７に対してピボットシャフトを軸として上下回転が可能になるものである。
【０００８】
このように、ブラシヘッド１が吸入管７に対して垂直方向に回転可能に構成されることにより、吸入管７が底面に対して如何なる角度で使われてもブラシヘッド１の底面は常に床面に密着可能になる。
【０００９】
しかし、前記のような構造を有する従来の真空掃除機用ブラシヘッドにおいて、ブラシヘッド１は常に吸入管とほぼＴ字形をなしながら固定されており、水平方向への回転は不可能であった。したがって、従来のブラシヘッドは障害物のない広い床などを掃除するときは効率的に機能を遂行することができるが、家具と壁との間のスペースのように、特にブラシヘッド１の幅より狭い床面には挿入されず、掃除を行うことができないという不具合があった。
【００１０】
【発明が解決しようとする課題】
本発明は上記のような従来技術の問題点を解消するためのものであり、本発明の目的は、吸入管に対して垂直方向ばかりでなく、水平方向への回転も可能にしてブラシヘッドの幅より狭いスペースの掃除も容易に遂行することができるようにする真空掃除機用ブラシヘッドを提供することにある。
【００１１】
【課題を解決するための手段】
上記目的を達成するために、本発明による真空掃除機用ブラシヘッドは、吸入管と着脱自在に結合され、ほこりを吸入するように一側に吸入口が形成されている本体と、一端が吸入管に着脱自在に結合される固定手段と、一端が本体に固着され、他端が固定手段の他端に水平方向に回転可能に結合されて本体と一緒に回転する回転手段と、固定手段と回転手段との間に介在されて固定手段と回転手段との結合を支持する継手手段とからなる。
【００１２】
本発明の一実施例による真空掃除機用ブラシヘッドにおいて、固定手段は一端が吸入管に着脱自在に結合される円筒状の枢支部材であり、回転手段は本体の後方側中央部に一体に形成され、枢支部材がその内部に挿入されて枢支部材に対して水平方向に回転する中空円筒形の回転部であり、継手手段は一端が枢支部材に係止され、他端が本体に係止され、枢支部材を中心として本体の左右側に相互対称的に備えられる一対の弾性部材からなる。
【００１３】
枢支部材の外周面には吸入口と吸入管とを連通させる連通部が形成され、後側下面にはローラが設けられており、回転部の底面中央部には枢支部材の下面に挿入されて回転部の水平方向への回転を支持する支持軸が上方に突出形成されており、底面周縁部に沿ってローラを収容してローラが底面に当接し続けられるようにするローラ収容溝が形成されている。
【００１４】
望ましくは、ローラ収容溝は回転部の底面後方に１８０°の円周角をもって形成されている。
【００１５】
また、枢支部材の前側上部には各弾性部材の一端が共通に掛止されるように固定ピンが垂直に嵌合され、本体には各弾性部材の他端が別途に掛止されるようにその両側面に隣接して一対の円柱形の支持突起が相互対称的に上方に突出形成されている。
【００１６】
望ましくは、弾性部材はシリコン樹脂材質の弾性バンドからなる。
【００１７】
吸入管と枢支部材との間には吸入管に一端が着脱自在に結合され、枢支部材に他端がヒンジ結合される連結具が備えられ、連結具の他端両側面には本体が吸入管に対して垂直方向に回転し得るように回転軸が突出形成されている。
【００１８】
また、回転部の上部には枢支部材を覆う蓋が結合され、蓋の後方には連結具を回動可能に収容して吸入管に対して本体が垂直方向に回転し得るようにする垂直切開部が形成されている。
【００１９】
本発明の他の実施例による真空掃除機用ブラシヘッドにおいて、回転手段は本体の後側中央部に上下回転可能に結合される回転カプラーであり、固定手段は一端が吸入管に着脱自在に結合され、他端が回転カプラーに結合される固定カプラーであり、継手手段は回転カプラーと固定カプラーとの結合を支持し、回転カプラーが固定カプラーに対して水平方向に回転し得るようにする蝶番ネジである。
【００２０】
回転カプラーは、一端が本体内に位置し、該一端には本体が回転カプラーに対して上下回転し得るように所定の曲率を有する垂直回転部が形成されており、他端が本体の後方に位置し、その内部には吸入口と連通する円形の第１通孔が形成されており、第１通孔の底面中心部には中空円筒形の雌ホルダーが上方に突出形成されている。
【００２１】
固定カプラーは、その内部に第１通孔に等しいサイズを有し、吸入管と連通するように形成された第２通孔と、第２通孔より低い位置に形成され、固定カプラーが回転カプラーと結合されるとき第１通孔の内部に収容される枢支部と、第１通孔の雌ホルダー内に挿入されるように枢支部の上面から下方に突出形成され、その内部にネジ孔の形成された雄ホルダーとを含む。
【００２２】
更に、蝶番ネジは、回転カプラーの底面を貫通した後、雌ホルダー内に挿入された雄ホルダーのネジ孔に締結される。
【００２３】
【発明の実施の形態】
以下、添付図面を参照しながら本発明をより詳しく説明する。
【００２４】
図２は本発明の一実施例による真空掃除機用ブラシヘッドを示した分解斜視図であり、図３は図２のブラシヘッドの内部構造を示した平面図であり、図４は図２のブラシヘッドの底面図である。
【００２５】
同図において、真空掃除機用ブラシヘッド１０は吸入管２０の先端に着脱自在に結合されており、外観を形成し且つ上下両側に分離される本体１１と、本体１１の内部に設置されるブラシ（図示せず）と、ブラシヘッド１０を吸入管２０に対して水平方向に回転可能にする回転装置３０とから構成されている。
【００２６】
ブラシヘッドの本体１１の下部一側には真空掃除機の作動によってほこりや汚れなどを吸入するための吸入口１２が形成されている。
【００２７】
上記回転装置３０は、本体１１の後側中央部に吸入口１２と連通するように一体に形成され、後述する枢支部材３１に対して回転する中空円筒形の回転部１３と、ブラシヘッドの本体１１の回転部１３の回転を支持する枢支部材３１と、ブラシヘッドの本体１１を枢支部材３１に対して弾性支持する弾性部材３２ａ、３２ｂと、枢支部材３１の上部を覆う蓋３３とを含む。
【００２８】
より具体的に説明すれば、回転部１３の底面中央部には枢支部材３１内に挿入されて枢支部材３１に対して回転部１３の回転を支持する支持軸１４が上方に突出形成されており、回転部１３の底面周縁部に沿って後述するローラ３４を収容してブラシヘッドの本体１１が左右回転してもローラ３４が底面に当接し続けられるようにするローラ収容溝１５が形成されている。このローラ収容溝１５は回転部１３の底面後方に１８０°の円周角をもって形成される。
【００２９】
回転部１３の内部に嵌合される円筒状の枢支部材３１はその上部に吸入管２０の先端に結合された連結具２１が結合され、前側上部には固定ピン３５が垂直に嵌合される。枢支部材３１の外周面の下部にはブラシヘッドの本体１１の吸入口１２を介して吸入されたほこりなどを吸入管２０側に移動させるように吸入口１２と連通する連筒部３６が形成されており、後側下面には回転部１３のローラ収容溝１５内に位置してブラシヘッドの本体１１の移動を円滑にするローラ３４（図４参照）が結合される。また、連結具２１の先端両側面にはブラシヘッドの本体１１が垂直方向に回転し得るように回転軸２２が突出形成されている。
【００３０】
回転部１３の上部に結合され枢支部材３１を覆う蓋３３の後方には連結具２１を収容して吸入管２０に対してブラシヘッドの本体１１が垂直方向に回転し得るように垂直切開部３３ａが形成されている。
【００３１】
また、ブラシヘッドの本体１１及び枢支部材３１にはブラシヘッドの本体１１を枢支部材３１に対して弾性支持する一対の弾性部材３２ａ、３２ｂが備えられるが、このために本体１１にはその両側面に隣接して一対の円柱状の支持突起１６ａ、１６ｂが相互対称的に上方に突出形成されている。
【００３２】
望ましくは、上記弾性部材３２ａ、３２ｂは弾性材質のバンドからなり、特に本発明では弾性バンドの素材としてシリコン樹脂を用いることにより、弾性力を高めると共に、長期間繰り返し使用時にも劣化を防止して耐久性を確保する。
【００３３】
より具体的に説明すると、各々の弾性バンド３２ａ、３２ｂはその一端が枢支部材３１に嵌合された固定ピン３５に係止され、他端がブラシヘッドの本体１１に形成された支持突起１６ａ、１６ｂに係止される。かかる構成によって、ブラシヘッド１０が左側又は右側に回転して使用された後、弾性バンド３２ａ、３２ｂの弾性復元力によって初期位置に迅速且つ正確に戻ることができる。
【００３４】
未説明符号３７は枢支部材３１の内部に備えられる吸音材である。
【００３５】
次に、上記のように構成された本発明の一実施例による真空掃除機用ブラシヘッドの作動及び効果について説明する。
【００３６】
真空掃除機用ブラシヘッド１０はフレキシブルホース（図示せず）と連結された吸入管２０の先端に結合されて真空ポンプ（図示せず）の動作による負圧によってほこりや汚れなどを吸入する。
【００３７】
特に、ブラシヘッド１０の幅より狭い部分を掃除しようとする場合は、ブラシヘッドの本体１１の一側を壁面と密着させた状態で本体１１を回転させてブラシヘッド１０が狭小なスペースにも挿入されて掃除作業を行うことができるようにする。すなわち、図５に示したように、ブラシヘッドの本体１１に一体に結合された回転部１３が連結具２１によって吸入管２０に結合された枢支部材３１に対して支持軸１４を中心として回転することで、本発明のブラシヘッド１０は左側又は右側方向にほぼ９０°の角度まで回転可能になる。
【００３８】
さらに、ブラシヘッド１０が吸入管２０に対して左側又は右側に回転した場合は、ブラシヘッドの本体１１の支持突起１６ａ、１６ｂと枢支部材３１の固定ピン３５に係合される一対の弾性バンド３２ａ、３２ｂのうち回転方向に位置した弾性バンド３２ａが引っ張られた状態に置かれる（図５参照）。
【００３９】
一方、前述のように、吸入管２０に対してブラシヘッドの本体１１を所定の角度で回転させた状態でブラシヘッド１０を前後方向に移動させる場合においても、回転部１３のローラ収容溝１５を介してローラ３４が下方に突出し、底面と一定に当接することになり、ブラシヘッド１０の前後移動が円滑に行われ、これにより掃除作業をより容易に行うことができるようになる。
【００４０】
前記のような作動によって狭小部分に対する掃除が完了された後、ブラシヘッドの本体１１に加えられた外力が除去されると、ブラシヘッドの本体１１と枢支部材３１を互いに弾性的に連結させる一対の弾性バンド３２ａ、３２ｂのうち引っ張られた状態を有する弾性バンド３２ａの弾性復元力によってブラシヘッドの本体１１が図５の一点鎖線で示した初期の状態に戻ることにより、吸入管２０と直交した状態を維持して通常的な掃除作業を行うことができるようになる。
【００４１】
特に、本発明のブラシヘッドの本体１１は左右側に対称的に備えられたシリコン樹脂材質の弾性バンド３２ａ、３２ｂによって枢支部材３１に対して回転し得るように結合されることによって、長期間繰り返し使用後もブラシヘッドの本体１１及び枢支部材３１の両側に一定の弾性力が作用して枢支部材３１に対するブラシヘッドの本体１１の復帰が正確に行われ、傾斜（tilt）が防止される。これにより、ブラシヘッド１０は何時も正確な結合位置を維持することができるようになる。
【００４２】
図６は本発明の他の実施例による真空掃除機用ブラシヘッドを示した部分分解斜視図であり、図７は図６のブラシヘッドを示した断面図である。
【００４３】
同図において、真空掃除機用ブラシヘッド５０は吸入管６０の先端に結合されており、その外観を形成する本体５１と、本体５１に設置されるブラシ５２と、ブラシヘッド５０を吸入管６０に対して水平方向に回転し得るようにする回転装置７０とから構成されている。
【００４４】
ブラシヘッドの本体５１の下部一側には真空掃除機の作動によってほこりや汚れなどを吸入するための吸入口５３が形成されている。
【００４５】
上記回転装置７０は、ブラシヘッドの本体５１内に垂直方向に回転可能にヒンジ結合され、本体５１の後方に位置する回転カプラー７１と、吸入管６０の先端に着脱自在に結合され、上記回転カプラー７１と結合して回転カプラー７１の回転を支持する固定カプラー７３と、回転カプラー７１と回転カプラー７３とを互いに結合する蝶番ネジ７７とを含む。
【００４６】
より具体的に説明すれば、回転カプラー７１の一端はブラシヘッドの本体５１内に位置し、ブラシヘッドの本体５１が上下に回転し得るように所定の曲率を有する垂直回転部７８が形成されており、他端はブラシヘッドの本体５１の後方に位置し、円形の第１通孔７１ａが形成されている。ブラシヘッドの本体５１の内部には回転カプラー７１の垂直回転部７８と対応するように形成されてブラシヘッドの本体５１の上下回転を案内するガイド板５４が形成されている。また、回転カプラー７１の第１通孔７１ａはブラシヘッドの本体５１の吸入口５３と連通し、第１通孔７１ａの内部中心には中空の雌ホルダー７２が上方に突出形成されている。
【００４７】
上記回転カプラー７１の上部に結合される固定カプラー７３はその一端が吸入管６０の先端に結合され、回転カプラー７１との対向面には第１通孔７１ａに等しいサイズを有し、吸入管６０と連通する第２通孔７３ａが形成される。第２通孔７３ａの周りには第１通孔７１ａの内壁面に当接されて挿入されるフランジ部７４が形成されており、フランジ部７４より低い位置には第１通孔７１ａの内部に収容される枢支部７５が備えられる。この枢支部７５の上面には第１通孔７１ａに形成された雌ホルダー７２に挿入されるように下方に突出形成され、その内部にネジ孔７６ａの形成された雄ホルダー７６が備えられ、枢支部７５の一側面は第１通孔７１ａの内壁面に当接して回転カプラー７１の回転を案内及び支持するが、これは後述する。
【００４８】
上記回転カプラー７１の雌ホルダー７２及び上記固定カプラー７３の雄ホルダー７６は蝶番ネジ７７が回転カプラー７１の底面を貫通して雌ホルダー７２内に嵌合された雄ホルダー７６のネジ孔７６ａに締結することにより、互いに回転し得るように結合される。
【００４９】
次に、前記のように構成された本発明の他の実施例による真空掃除機用ブラシヘッド５０の作動及び効果について説明する。
【００５０】
真空掃除機用ブラシヘッド５０はフレキシブルホース（図示せず）と連結された吸入管６０の先端に結合されて真空ポンプ（図示せず）の動作による負圧によってほこりや汚れなどを吸入する。ブラシヘッド５０の吸入口５３を介して吸入されたほこりや汚れなどは回転カプラー７１の第１通孔７１ａ及び固定カプラー７３の第２通孔７３ａを順次に通過して吸入管６０内へ移動する。
【００５１】
特に、ブラシヘッド５０の幅より狭い部分を掃除しようとする場合は、図８に示したように、ブラシヘッドの本体５１の一側を壁面と密着させた状態で本体５１を回転させてブラシヘッド５０が狭小なスペースにも挿入されて掃除作業を行うことができるようにする。すなわち、ブラシヘッドの本体５１に固着された回転カプラー７１が吸入管６０に結合された固定カプラー７３に対して雌ホルダー７２と雄ホルダー７６とを互いに回転し得るように締結する蝶番ネジ７７を中心として回転することにより、本発明のブラシヘッドの本体５１は左側又は右側方向に回転可能になる。このとき、回転カプラー７１は第１通孔７１ａの内壁面が固定カプラー７３のフランジ部７４と枢支部７５に当接した状態で回転するので、これによって回転が安定的で且つ円滑に行われる。
【００５２】
前述のような作動により狭小部分に対する掃除が完了された後、ブラシヘッドの本体５１を吸入管６０と直交するように復帰させると、通常的な掃除作業を行うことができるようになる。
【００５３】
【発明の効果】
以上説明したように、本発明による真空掃除機用ブラシヘッドによれば、吸入管に対して垂直方向ばかりでなく、水平方向への回転も可能になるため、ブラシヘッドの幅より狭いスペースの掃除を容易に行うことができるという効果がある。
【００５４】
以上、本発明を望ましい実施例に基づいて具体的に説明したが、本発明はこれに限定されるものではなく、本発明の要旨を逸脱しない範囲内で通常の知識を有するものなら誰でも多様な変更及び改良が可能なことは勿論である。
【図面の簡単な説明】
【図１】従来の真空掃除機用ブラシヘッドを示した部分断面図である。
【図２】本発明の一実施例による真空掃除機用ブラシヘッドを示した分解斜視図である。
【図３】図２のブラシヘッドの内部構造を示した平面図である。
【図４】図２のブラシヘッドの底面図である。
【図５】図２のブラシヘッドの作動状態を示した平面図である。
【図６】本発明の他の実施例による真空掃除機用ブラシヘッドを示した分解斜視図である。
【図７】図６のブラシヘッドを示した断面図である。
【図８】図６のブラシヘッドの作動状態を示した平面図である。
【符号の説明】
１０      ブラシヘッド
１１      本体
１２      吸入口
１３      回転部
１４      支持軸
１５      ローラ収容溝
１６ａ    支持突起
１６ｂ    支持突起
２０      吸入管
２１      連結具
２２      回転軸
３０      回転装置
３１      枢支部材
３２ａ    弾性部材（弾性バンド）
３２ｂ    弾性部材（弾性バンド）
３３      蓋
３３ａ    垂直切開部
３４      ローラ
３５      固定ピン
３６      連通部
５０      ブラシヘッド
５１      本体
５３      吸入口
６０      吸入管
７１      回転カプラー
７１ａ    第１通孔
７２      雌ホルダー
７３      固定カプラー
７３ａ    第２通孔
７５      枢支部
７６      雄ホルダー
７６ａ    ネジ孔
７７      蝶番ネジ
７８      垂直回転部
【図１】
0003759414.tif 000002
【図２】
0003759414.tif 000003
【図３】
0003759414.tif 000004
【図４】
0003759414.tif 000005
【図５】
0003759414.tif 000006
【図６】
0003759414.tif 000007
【図７】
0003759414.tif 000008
【図８】
0003759414.tif 000009